【手続補正書】
【提出日】平成18年10月17日(2006.10.17)
【手続補正１】
【補正対象書類名】明細書
【補正対象項目名】発明の名称
【補正方法】変更
【補正の内容】
【発明の名称】データ送信装置、データ受信装置、データ伝送システム、データ送信方法及びデータ受信方法
【手続補正２】
【補正対象書類名】明細書
【補正対象項目名】特許請求の範囲
【補正方法】変更
【補正の内容】
【特許請求の範囲】
【請求項１】
圧縮データ及び／又は非圧縮データが入力され、圧縮データ又は非圧縮データを切り換えて出力する切換手段と、
圧縮データか非圧縮データかを識別するためのデータ識別情報を含むヘッダデータを上記切換手段からのデータに付加して、ヘッダデータと圧縮データとからなる所定のフォーマットのパケットデータ又はヘッダデータと非圧縮データとからなる上記所定のフォーマットとは異なるフォーマットのパケットデータを生成するパケット生成手段と、
上記パケット生成手段で生成したパケットデータをシリアル送信する送信手段と
を備えることを特徴とするデータ送信装置。
【請求項２】
受信したシリアルデータストリームが圧縮されたシリアルデータストリームか非圧縮のシリアルデータストリームかを識別する識別手段と、
上記圧縮されたシリアルデータストリームについて所定のデータ処理を行うデータ処理手段と、
上記識別手段の識別結果に基づいて、上記非圧縮のシリアルデータストリームとデータ処理手段で所定のデータ処理がされたシリアルデータストリームとを切換出力する切換手段と
を備えることを特徴とするデータ受信装置。
【請求項３】
受信したシリアルデータストリームが圧縮されたシリアルデータストリームか非圧縮のシリアルデータストリームかを識別する識別手段と、
上記圧縮されたシリアルデータストリームについて所定のデータ処理を行うデータ処理手段と、
上記データ処理手段により所定のデータ処理がされる圧縮されたシリアルデータストリームが格納されるデータ処理用記憶手段と、
上記識別手段の識別結果及び上記データ処理手段の処理タイミングに基づいて、上記非圧縮のシリアルデータストリームとデータ処理手段で所定のデータ処理がされたシリアルデータストリームとを切り換えて出力する切換出力手段と
を備えることを特徴とするデータ受信装置。
【請求項４】
圧縮されたシリアルデータストリーム又は非圧縮のシリアルデータストリームをデータ受信先にシリアル送信するデータ送信装置と、
上記データ送信装置からのシリアルデータストリームが圧縮されたシリアルデータストリームか非圧縮のシリアルデータストリームかを識別する識別手段と、上記圧縮されたシリアルデータストリームについて所定のデータ処理を行うデータ処理手段と、上記識別手段の識別結果に基づいて、上記非圧縮のシリアルデータストリームとデータ処理手段で所定のデータ処理がされたシリアルデータストリームとを切換出力する切換手段とを備えるデータ受信装置と、
を備えることを特徴とするデータ伝送システム。
【請求項５】
圧縮されたシリアルデータストリーム又は非圧縮のシリアルデータストリームをデータ受信先にシリアル送信するデータ送信装置と、
受信したシリアルデータストリームが圧縮されたシリアルデータストリームか非圧縮のシリアルデータストリームかを識別する識別手段と、上記圧縮されたシリアルデータストリームについて所定のデータ処理を行うデータ処理手段と、上記データ処理手段により所定のデータ処理がされる圧縮されたシリアルデータストリームが格納されるデータ処理用記憶手段と、上記識別手段の識別結果及び上記データ処理手段の処理タイミングに基づいて、上記非圧縮のシリアルデータストリームとデータ処理手段で所定のデータ処理がされたシリアルデータストリームとを切り換えて出力する切換出力手段とを備えるデータ受信装置と、
を備えることを特徴とするデータ伝送システム。
【請求項６】 
圧縮データ及び／又は非圧縮データが入力され、圧縮データ又は非圧縮データを切り換えて出力する第１のステップと、
圧縮データか非圧縮データかを識別するためのデータ識別情報を含むヘッダデータを上記データに付加して、ヘッダデータと圧縮データとからなる所定のフォーマットのパケットデータ又はヘッダデータと非圧縮データとからなる上記所定のフォーマットとは異なるフォーマットのパケットデータを生成する第２のステップと、
上記パケット生成手段で生成したパケットデータをシリアル送信する第３のステップと、
を備えることを特徴とするデータ送信方法。
【請求項７】
受信したシリアルデータストリームが圧縮されたシリアルデータストリームか非圧縮のシリアルデータストリームかを識別する第１のステップと、
上記圧縮されたシリアルデータストリームについて所定のデータ処理を行う第２のステップと、
上記識別結果に基づいて、上記非圧縮のシリアルデータストリームと上記所定のデータ処理がされたシリアルデータストリームとを切換出力する第３のステップと、
を備えることを特徴とするデータ受信方法。
【手続補正３】
【補正対象書類名】明細書
【補正対象項目名】０００１
【補正方法】変更
【補正の内容】
【０００１】
【発明の属する技術分野】
本発明は、圧縮されたデータストリーム及び非圧縮のデータストリームを伝送するデータ送信装置、データ受信装置、データ伝送システム、データ送信方法及びデータ受信方法に関する。
【手続補正４】
【補正対象書類名】明細書
【補正対象項目名】０００８
【補正方法】変更
【補正の内容】
【０００８】
すなわち、例えばデータ受信側機器がＡＶサーバであり、データ送信装置がＶＴＲ装置である場合、ＡＶサーバでＶＴＲ装置に記録されたデータを複製する範囲を決定するときには、ＶＴＲ装置に記録されているデータを参照する必要がある。このとき、ＶＴＲ装置で１倍速の通常速度の再生のみならず、早送りや早巻き戻しなどの高速再生をしてサーチを行う必要がある。ＶＴＲ装置では、非圧縮のデータを高速再生したときにはＡＶサーバ側で表示可能な形態でデータを送信する。一方、圧縮されたデータを高速再生したときにはテープ上に記録されたデータを部分的に飛び飛びにしか再生することができない。したがって、圧縮されたデータを高速再生しているときにそのまま飛び飛びのデータをＶＴＲ装置からＡＶサーバに送信すると、ＡＶサーバ側でデコードすることができなくなる可能性があるため、サーチ等の特殊再生時には圧縮されたデータを送信しないことが多い。したがって、受信側のＡＶサーバでサーチ中の画像を表示することができないことになる。したがって、データ受信側では、データ受信側機器に接続された表示装置を参照して編集処理等を行うことは不可能となっている。
【手続補正５】
【補正対象書類名】明細書
【補正対象項目名】００１０
【補正方法】変更
【補正の内容】
【００１０】
そこで、本発明は、上述したような実情に鑑みて提案されたものであり、異なるフォーマットのデータストリームを伝送することができるデータ送信装置、データ受信装置、データ伝送システム、データ送信方法及びデータ受信方法を提供することを目的とする。
【手続補正６】
【補正対象書類名】明細書
【補正対象項目名】００１５
【補正方法】変更
【補正の内容】
【００１５】
更に、本発明に係るデータ伝送システムは、上述の課題を解決するために、圧縮されたシリアルデータストリーム又は非圧縮のシリアルデータストリームをデータ受信先にシリアル送信するデータ送信装置と、受信したシリアルデータストリームが圧縮されたシリアルデータストリームか非圧縮のシリアルデータストリームかを識別する識別手段と、上記圧縮されたシリアルデータストリームについて所定のデータ処理を行うデータ処理手段と、上記データ処理手段により所定のデータ処理がされる圧縮されたシリアルデータストリームが格納されるデータ処理用記憶手段と、上記識別手段の識別結果及び上記データ処理手段の処理タイミングに基づいて、上記非圧縮のシリアルデータストリームとデータ処理手段で所定のデータ処理がされたシリアルデータストリームとを切り換えて出力する切換出力手段とを備えるデータ受信装置と、を備える。
更に、本発明に係るデータ送信方法は、上述の課題を解決するために、圧縮データ及び／又は非圧縮データが入力され、圧縮データ又は非圧縮データを切り換えて出力する第１のステップと、圧縮データか非圧縮データかを識別するためのデータ識別情報を含むヘッダデータを上記データに付加して、ヘッダデータと圧縮データとからなる所定のフォーマットのパケットデータ又はヘッダデータと非圧縮データとからなる上記所定のフォーマットとは異なるフォーマットのパケットデータを生成する第２のステップと、上記パケット生成手段で生成したパケットデータをシリアル送信する第３のステップと、を備える。
更に、本発明に係るデータ送信方法は、上述の課題を解決するために、受信したシリアルデータストリームが圧縮されたシリアルデータストリームか非圧縮のシリアルデータストリームかを識別する第１のステップと、上記圧縮されたシリアルデータストリームについて所定のデータ処理を行う第２のステップと、上記識別結果に基づいて、上記非圧縮のシリアルデータストリームと上記所定のデータ処理がされたシリアルデータストリームとを切換出力する第３のステップと、を備える。
【手続補正７】
【補正対象書類名】明細書
【補正対象項目名】００２４
【補正方法】変更
【補正の内容】
【００２４】
アクティブビデオ領域には、非圧縮の映像データが格納される。このアクティブビデオ領域には、映像の１フレームの各ライン毎の映像データが格納される。このアクティブビデオ領域は、図４に示すように構成され、先頭から、格納されるデータの種類を示すデータ種別情報（Ｔｙｐｅ）が格納されるデータ種別情報領域、データ領域からなる。
【手続補正８】
【補正対象書類名】明細書
【補正対象項目名】００６９
【補正方法】変更
【補正の内容】
【００６９】
圧縮データ用メモリ５３は、ＳＤＩ／ＳＤＴＩデコーダ５２から圧縮データＳ１２が入力され、受信制御部５６からのＲ（Read）／Ｗ（Write）タイミング信号Ｓ１５に従って、圧縮データＳ１２を記憶する。また、この圧縮データ用メモリ５３は、受信制御部５６からのＲ／Ｗタイミング信号Ｓ１５に従って、記憶している圧縮データがＭＰＥＧデコーダ４２に読み込まれる。これにより、圧縮データ用メモリ５３に格納された圧縮データは圧縮データ出力ポート５７を介してＭＰＥＧデコーダ４２に入力される。
【手続補正９】
【補正対象書類名】明細書
【補正対象項目名】００７０
【補正方法】変更
【補正の内容】
【００７０】
非圧縮データ用メモリ５４は、ＳＤＩ／ＳＤＴＩデコーダ５２から非圧縮データＳ１３が入力され、受信制御部５６からのＲ／Ｗタイミング信号Ｓ１６に従って、圧縮データＳ１３を記憶する。また、この非圧縮データ用メモリ５４は、受信制御部５６からのＲ／Ｗタイミング信号Ｓ１６に従って、記憶している非圧縮データが読まれる。これにより、非圧縮データ用メモリ５４に格納された非圧縮データは出力スイッチ部５５に入力される。